(57)【特許請求の範囲】
【請求項１】
時刻データに基づいて指針を駆動する時計部と、
位置情報衛星から送信される衛星信号を受信する受信回路と、
自動受信を有効にするか無効にするかを入力操作可能な外部操作部と、
予め設定された自動受信条件に該当した場合に、測時モードまたは測位モードで前記自動受信の処理を実行するように前記受信回路を制御し、前記受信回路で受信した衛星信号に基づいて前記時刻データを修正する制御回路と、
を有し、
前記制御回路は、
前記外部操作部からの入力操作によって前記自動受信が無効にされた後に、再度有効にされた場合であって、前記自動受信条件に該当した場合には、前記測位モードで前記自動受信の処理を実行するように前記受信回路を制御する
ことを特徴とする電子時計。
【請求項２】
請求項１に記載の電子時計において、
前記制御回路は、
前記測位モードでの前記自動受信処理が所定回数実行された後で、前記自動受信条件に該当した場合には、前記測時モードで前記自動受信処理を実行するように前記受信回路を制御する
ことを特徴とする電子時計。
【請求項３】
請求項１または請求項２に記載の電子時計において、
前記制御回路は、
前記測位モードでの前記自動受信処理が成功した後で、前記自動受信条件に該当した場合には、前記測時モードで前記自動受信処理を実行するように前記受信回路を制御する
ことを特徴とする電子時計。
【請求項４】
請求項１から請求項３のいずれかに記載の電子時計において、
前記電子時計に照射される光の光量を検出する光検出手段を有し、
前記自動受信条件は、前記光検出手段で検出される光量が予め設定された閾値以上であることである
ことを特徴とする電子時計。
【請求項５】
請求項１から請求項４のいずれかに記載の電子時計において、
前記自動受信条件は、所定の受信時刻になったことである
ことを特徴とする電子時計。
【請求項６】
請求項１から請求項５のいずれかに記載の電子時計において、
前記制御回路は、前記測位モードでの受信に成功した場合、取得した位置情報および時刻情報に基づいて、前記時刻データを修正する
ことを特徴とする電子時計。
【請求項７】
請求項１から請求項６のいずれかに記載の電子時計において、
前記制御回路は、前記測時モードでの受信に成功した場合、取得した時刻情報に基づいて、前記時刻データを修正する
ことを特徴とする電子時計。
【請求項８】
時刻データに基づいて指針を駆動する時計部と、
位置情報衛星から送信される衛星信号を受信する受信回路と、
自動受信を有効にするか無効にするかを入力操作可能な外部操作部と、
予め設定された自動受信条件に該当した場合に、測時モードまたは測位モードで前記自動受信の処理を実行するように前記受信回路を制御し、前記受信回路で受信した衛星信号に基づいて前記時刻データを修正する制御回路と、を備える電子時計の制御方法であって、
前記制御回路は、
前記外部操作部からの入力操作によって前記自動受信が無効にされた後に、再度有効にされた場合であって、前記自動受信条件に該当した場合には、前記測位モードで前記自動受信の処理を実行するように前記受信回路を制御する
ことを特徴とする電子時計の制御方法。
【発明の詳細な説明】
【技術分野】
【０００１】
本発明は、例えばＧＰＳ衛星などの位置情報衛星から送信される電波を受信して現在の日付や時刻を求める電子時計およびその制御方法に関するものである。
【背景技術】
【０００２】
従来からＧＰＳ（Global Positioning System）衛星から高精度時刻情報を含むＧＰＳ測位電波を用いて海外旅行などにおける移動先のローカル時間情報を取得する方法が様々提案されている。しかしながら、移動先におけるローカル時間情報を得る際には、ＧＰＳによる計測をユーザーが意識的に行う必要があり、不便であった。
【０００３】
そこで、圧力測定の結果に基づいて時刻情報を更新すべきか否かを判別する電子時計が提案されている（例えば特許文献１参照）。
この特許文献１では、圧力センサーは、所定時間間隔毎に外部の気体の圧力を測定する。ＣＰＵは、今回の測定圧力と前回の測定圧力との差である圧力差に基づいて、航空機による移動がなされているか否かを判別する。ＣＰＵおよび時刻情報更新部は、航空機による移動がなされていると判別された場合に、所定の受信間隔でＧＰＳ衛星からのＧＰＳ測位電波を受信して時間情報を取得し、時間情報を更新する。
【先行技術文献】
【特許文献】
【０００４】
【特許文献１】特開２００５−２２１４４９号公報
【発明の概要】
【発明が解決しようとする課題】
【０００５】
しかしながら、特許文献１に記載の電子時計では、圧力センサーにより、航空機の移動を検知し時差特定を行うようになっているが、一定間隔で動作させる必要があるために、消費電力が大きいという問題がある。また、圧力センサーのようなデバイスを搭載するため、面積が大きくなってしまい、時計のような小型化を望まれるような製品では商品化に制約がある。
【０００６】
本発明は、ローカル時間を自動的に表示することができるとともに、消費電力を低減でき、小型化も容易な電子時計およびその制御方法を提供することを目的とする。
【課題を解決するための手段】
【０００７】
本発明の電子時計は、位置情報衛星から送信される衛星信号を受信する受信回路と、外部操作部と、前記受信回路の動作を制御する受信制御部と、前記外部操作部からの入力操作に基づいて、自動受信を有効とするか無効とするかを切り替える自動受信設定部と、受信モードを測時モードおよび測位モードのうちのいずれかに設定可能な受信モード設定部と、前記受信回路で受信された衛星信号の情報に基づいて内部時刻情報を修正する時刻情報修正部とを備え、前記受信モード設定部は、前記外部操作部からの入力操作によって自動受信が無効にされた後に、再度有効にされた場合には、前記受信モードを前記測位モードに設定し、前記受信モードが前記測位モードに設定された状態で自動受信がされた後に、一定の条件に該当した場合には、前記受信モードを前記測時モードに設定し、前記受信制御部は、予め設定された自動受信条件に該当した場合に、前記受信モード設定部で設定された受信モードで前記受信回路を作動して自動受信処理を実行することを特徴とする。
【０００８】
本発明においては、ボタンなどの外部操作部によって自動受信が無効にされて、再度有効にされた後に自動受信する場合には、受信回路は測位モードにて自動受信をする。このように外部操作部によって自動受信を無効にする必要がある場合としては、例えば航空機に搭乗する場合が想定できる。すなわち、航空機では、離着陸時などに、ＧＰＳ受信機の使用が制限されており、通常、ユーザーが外部操作部材の操作で自動受信を無効に設定する。
そして、航空機に搭乗する場合には、時差のあるような場所へ長距離の移動をする可能性が高い。そこで、外部操作部によって自動受信が無効にされて、再度有効にされた場合に、受信回路が測位モードにて自動受信をすることで、測位モードでの受信の必要性が高い場合に、測位モードにて自動受信をすることができる。そして、受信制御部で受信された情報に基づいて内部時刻情報を修正することにより、電子時計にローカル時間を自動的に表示することができる。
また、測位モードでは、位置を検出するために３個以上の位置情報衛星から衛星信号を受信しなければならず、測時モードの場合と比較して、受信処理時間も長くなり、消費電力も大きくなる。そこで、本発明では、外部操作部によって自動受信が無効にされて、再度有効にされた後に自動受信する場合に、受信回路が測位モードにて自動受信をするようにし、その後、例えば、測位モード受信手段にて位置情報の受信に成功した場合にように、一定の条件に該当した後に自動受信する場合には、受信回路が測時モードにて自動受信をするようにしている。このように、測位モードでの受信の必要性が高い場合に受信回路が測位モードにて自動受信をするため、消費電力を低減できる。また、圧力センサーなどの新たな部品などを設ける必要がなく、その部品により、時計が大型化したり、消費電力が増大することを防止できる。
【０００９】
本発明の電子時計において、前記受信モード設定部は、前記受信モードが前記測位モードに設定された状態で所定回数の自動受信がされた場合には、前記受信モードを前記測時モードに設定することが好ましい。
【００１０】
このように受信回路が測位モードでの自動受信を所定回数（例えば３回）実行した場合に、測時モードにて自動受信をするようにすれば、受信回路が無駄に測位モードにて自動受信することを抑制することができ、消費電力を低減できる。
【００１１】
本発明の電子時計において、前記受信モード設定部は、前記受信モードが前記測位モードに設定された状態で自動受信に成功した場合には、前記受信モードを前記測時モードに設定することが好ましい。
【００１２】
本発明のように、受信回路が測位モードでの自動受信に成功した場合に、測時モードにて自動受信をするようにすれば、ローカル時間に確実に自動修正できる。
【００１３】
本発明の電子時計において、前記電子時計に照射される光の光量を検出する光検出手段をさらに備え、前記受信制御部は、前記光検出手段で検出される光量が予め設定された閾値以上である場合に、前記受信モード設定部で設定された受信モードで前記受信回路を作動して自動受信処理を実行することが好ましい。
【００１４】
本発明では、光検出手段で検出される光量が予め設定された閾値以上であることを受信回路が作動する条件としている。例えば、この閾値を、屋外において電子時計に直射日光が当たる場合の光量と、屋内において電子時計に照明などの光が当たる場合の光量とを区別できるような値に設定しておくことで、電子時計が屋外に配置されているか否かを判断できる。そして、光検出手段で検出される光量が閾値以上であることを受信回路が作動する条件とすることで、電子時計が屋外に配置されている場合など衛星信号を受信しやすい環境で受信回路を作動させることができる。
【００１５】
本発明の電子時計の制御方法は、位置情報衛星から送信される衛星信号を受信する受信回路と、外部操作部と、前記受信回路の動作を制御する受信制御部と、前記外部操作部からの入力操作に基づいて、自動受信を有効とするか無効とするかを切り替える自動受信設定部と、受信モードを測時モードおよび測位モードのうちのいずれかに設定可能な受信モード設定部と、前記受信回路で受信された衛星信号の情報に基づいて内部時刻情報を修正する時刻情報修正部とを備える電子時計の制御方法であって、前記受信モード設定部は、前記外部操作部からの入力操作によって自動受信が無効にされた後に、再度有効にされた場合には、前記受信モードを前記測位モードに設定し、前記受信モードが前記測位モードに設定された状態で自動受信がされた後に、一定の条件に該当した場合には、前記受信モードを前記測時モードに設定し、前記受信制御部は、予め設定された自動受信条件に該当した場合に、前記受信モード設定部で設定された受信モードで前記受信回路を作動して自動受信処理を実行することを特徴とする。
【００１６】
本発明においても、前記電子時計と同じ作用効果を奏することができる。なお、本発明の電子時計の制御方法においても、前記電子時計について記載した内容を適用してもよい。
【図面の簡単な説明】
【００１７】
【図１】本発明の電子時計であるＧＰＳ付き腕時計の平面図である。
【図２】ＧＰＳ付き腕時計の概略断面図である。
【図３】ＧＰＳ付き腕時計の回路構成を示すブロック図である。
【図４】ＧＰＳ付き腕時計の記憶部の構成を示すブロック図である。
【図５】第一実施形態の時刻修正処理を示すフローチャートである。
【図６】第二実施形態の時刻修正処理を示すフローチャートである。
【発明を実施するための形態】
【００１８】
［第一実施形態］
以下、本発明の第一実施形態を、添付図面などを参照しながら詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
［電子時計の構造］
図１は、本発明の第一実施形態に係る電子時計であるＧＰＳ付き腕時計１００の平面図であり、図２はＧＰＳ付き腕時計１００の概略断面図である。
図１から明らかなように、ＧＰＳ付き腕時計１００は、使用者の手首に装着される腕時計であり、文字板１１および指針１２を備え、時刻を計時して表示する。
文字板１１の大部分は、光および１．５ＧＨｚ帯のマイクロ波が透過し易い非金属の材料（例えば、プラスチックまたはガラス）で形成されている。
指針１２は、文字板１１の表面側に設けられている。また、指針１２は、回転軸１３を中心に回転移動する秒針１２１、分針１２２および時針１２３を含み、歯車を介してステップモーターで駆動される。
【００２０】
ＧＰＳ付き腕時計１００では、リューズ１４やボタン１５、ボタン１６の手動操作に応じた処理が実行される。具体的には、リューズ１４が操作されると、その操作に応じて表示時刻を修正する手動修正処理が実行される。また、ボタン１５が長時間（例えば３秒以上の時間）にわたって押されると、衛星信号を受信するための受信処理が実行される。
また、ボタン１６が押されると、受信モード（測時モード、測位モードまたは自動受信無効モード）を切り替える切替処理が実行される。この際、測時モードに設定された場合には、秒針１２１が「Ｔｉｍｅ」の位置（５秒位置）に移動し、測位モードに設定された場合には、秒針１２１が「Ｆｉｘ」の位置（１０秒位置）に移動し、自動受信無効モードに設定された場合には、秒針１２１が「Ｏｆｆ」の位置（５０秒位置）に移動する。
【００２１】
また、ボタン１５が短時間（例えば３秒未満）押されると、前回の受信処理の結果を表示する結果表示処理が行われる。すなわち、測時モードで受信成功の場合には、秒針１２１が「Ｔｉｍｅ」（５秒位置）の位置に移動し、測位モードで受信成功の場合には、秒針１２１が「Ｆｉｘ」（１０秒位置）の位置に移動する。また、受信失敗の場合には秒針１２１が「Ｎ」の位置（２０秒位置）に移動する。
なお、これらの秒針１２１による指示は受信中も行われる。測時モードで受信中は秒針１２１が「Ｔｉｍｅ」の位置（５秒位置）に移動し、測位モードで受信中は秒針１２１が「Ｆｉｘ」の位置（１０秒位置）に移動する。また、ＧＰＳ衛星が捕捉できない場合は秒針１２１が「Ｎ」の位置（２０秒位置）に移動する。
【００２２】
図２に示すように、ＧＰＳ付き腕時計１００は、ステンレス鋼（ＳＵＳ）やチタンなどの金属で構成された外装ケース１７を備えている。外装ケース１７は、略円筒状に形成されている。外装ケース１７の表面側の開口には、ベゼル１８を介して表面ガラス１９が取り付けられている。ベゼル１８は、衛星信号の受信性能を向上させるためにセラミックスなどの非金属材料で構成される。外装ケース１７の裏面側の開口には、裏蓋２０が取り付けられている。外装ケース１７の内部には、ムーブメント２１、ソーラーセル２２、ＧＰＳアンテナ２３、二次電池２４などが配置されている。
【００２３】
ムーブメント２１は、ステップモーターや輪列２１１を含んで構成されている。ステップモーターは、モーターコイル２１２、ステーター、ローターなどで構成されており、輪列２１１や回転軸１３を介して指針１２を駆動する。ムーブメント２１の裏蓋２０側には、回路基板２５が配置されている。回路基板２５は、コネクター２６を介してアンテナ基板２７および二次電池２４と接続されている。
【００２４】
回路基板２５には、ＧＰＳアンテナ２３で受信した衛星信号を処理する受信回路を含むＧＰＳ受信回路３０、ステップモーターの駆動制御などの各種の制御を行う制御回路４０などが取り付けられている。ＧＰＳ受信回路３０や制御回路４０は、シールド板２９に覆われており、二次電池２４から供給される電力で駆動される。
【００２５】
本発明における光検出手段は、ソーラーセル２２および後述する発電量検出回路８０で構成される。
ソーラーセル２２は、光エネルギーを電気エネルギーに変換する光発電を行う光発電素子である。ソーラーセル２２は、発生した電力を出力するための電極を備え、文字板１１の裏面側に配置されている。文字板１１の大部分は、光が透過し易い材料で形成されているから、ソーラーセル２２は、表面ガラス１９および文字板１１を透過した光を受光して光発電を行うことができる。
【００２６】
二次電池２４は、ＧＰＳ付き腕時計１００の電源であり、ソーラーセル２２で発生した電力を蓄積する。ＧＰＳ付き腕時計１００では、ソーラーセル２２の二つの電極と二次電池２４の二つの電極とをそれぞれ電気的に接続することが可能であり、接続時には、ソーラーセル２２の光発電によって二次電池２４が充電される。なお、本実施形態では、二次電池２４として、携帯機器に好適なリチウムイオン電池を用いているが、リチウムポリマー電池や他の二次電池を用いてもよいし、二次電池とは異なる蓄電体（例えば容量素子）を用いてもよい。
【００２７】
ＧＰＳアンテナ２３は、１．５ＧＨｚ帯のマイクロ波を受信するアンテナであり、文字板１１の裏面側に配置され、裏蓋２０側のアンテナ基板２７上に実装されている。文字板１１に直交する方向において、ＧＰＳアンテナ２３と重なる文字板１１の部分は、１．５ＧＨｚ帯のマイクロ波が透過し易い材料（例えば、導電率および透磁性の低い非金属の材料）で形成されている。また、ＧＰＳアンテナ２３と文字板１１との間には電極を備えたソーラーセル２２が介在しない。よって、ＧＰＳアンテナ２３は、表面ガラス１９および文字板１１を透過した衛星信号を受信することができる。
【００２８】
ところで、ＧＰＳアンテナ２３とソーラーセル２２の距離が近いほど、ＧＰＳアンテナ２３とソーラーセル２２内の金属部材が電気的に結合してロスが発生したり、ＧＰＳアンテナ２３の放射パターンがソーラーセル２２に遮られて小さくなったりする。そのため、受信性能が劣化しないように、実施形態では、ＧＰＳアンテナ２３とソーラーセル２２との距離が所定値以上になるように配置されている。
【００２９】
また、ＧＰＳアンテナ２３は、ソーラーセル２２以外の金属部材との距離も所定値以上となるように配置されている。例えば、外装ケース１７やムーブメント２１が金属部材で構成されている場合、ＧＰＳアンテナ２３は、外装ケース１７との距離およびムーブメント２１との距離がともに所定値以上になるように配置される。なお、ＧＰＳアンテナ２３としては、パッチアンテナ（マイクロストリップアンテナ）、ヘリカルアンテナ、チップアンテナ、逆Ｆアンテナなどを採用可能である。
【００３０】
ＧＰＳ受信回路３０は、二次電池２４に蓄積された電力で駆動される負荷であり、各回の駆動毎に、ＧＰＳアンテナ２３を通じてＧＰＳ衛星からの衛星信号の受信を試み、受信に成功した場合には、取得した軌道情報やＧＰＳ時刻情報などの情報を制御回路４０へ供給し、失敗した場合には、その旨の情報を制御回路４０へ供給する。
【００３１】
図３は、ＧＰＳ付き腕時計１００の回路構成を示すブロック図である。この図に示すように、ＧＰＳ付き腕時計１００は、ソーラーセル２２と、ＧＰＳアンテナ２３と、受信回路としてのＧＰＳ受信回路３０と、制御回路４０と、記憶部５０と、時計部６０と、外部操作部７０と、発電量検出回路８０とを備えている。
ＧＰＳ受信回路３０は、図示を略すが、主にＲＦ（Radio Frequency：無線周波数）部と、ＧＰＳ信号処理部を含んで構成されている。ＲＦ部とＧＰＳ信号処理部は、１．５ＧＨｚ帯の衛星信号から航法メッセージに含まれる軌道情報やＧＰＳ時刻などの衛星情報を取得する処理を行う。
【００３２】
ＲＦ部は、高周波信号を中間周波数帯の信号に変換するダウンコンバーターや、その中間周波数帯のアナログ信号をデジタル信号に変換するＡ／Ｄコンバーターなどを備えたＧＰＳ受信機における一般的なものである。
【００３３】
ＧＰＳ信号処理部は、図示を略すがＤＳＰ（Digital Signal Processor）、ＣＰＵ（Central Processing Unit）、ＳＲＡＭ（Static Random Access Memory）、ＲＴＣ（リアルタイムクロック）などを含んで構成され、ＲＦ部から出力されるデジタル信号（中間周波数帯の信号）から航法メッセージを復調し、航法メッセージに含まれる軌道情報やＧＰＳ時刻などの衛星情報を取得する処理を行う。
従って、本実施形態では、ＧＰＳアンテナ２３およびＧＰＳ受信回路３０によって、ＧＰＳ衛星から送信される衛星信号を受信する受信部が構成されている。
【００３４】
制御回路４０は、ＧＰＳ付き腕時計１００を制御するためのＣＰＵで構成されている。この制御回路４０は、後述するように、ＧＰＳ受信回路３０を制御して受信処理を実行する。また、制御回路４０は、時計部６０の動作を制御する。
【００３５】
この制御回路４０は、図３に示すように、時刻情報生成部４１と、受信制御部４２と、自動受信設定部４３と、受信モード設定部４４と、時刻情報修正部４５と、発電量検出制御部４６とを備える。
また、記憶部５０は、図４に示すように、時刻データ記憶部５００と、都市名−タイムゾーンデータ記憶部５５０とを備える。
これらの制御回路４０および記憶部５０の各構成は、後述する。
【００３６】
時計部６０は、指針１２およびこの指針１２を駆動するモーターなどを備える。
外部操作部７０は、リューズ１４、ボタン１５およびボタン１６を備える。このボタン１６の入力操作に応じて、自動受信モードを自動受信有効モード（測時モードまたは測位モード）または自動受信無効モードを切り替える信号を制御回路４０の自動受信設定部４３に入力する。
発電量検出回路８０は、ソーラーセル２２の発電量（発電電圧）を検出し、その検出値を制御回路４０の発電量検出制御部４６に入力する。
【００３７】
［記憶部の構成］
記憶部５０は、前記ＧＰＳ受信回路３０で得られた時刻データ（衛星時刻情報）が記憶される。
時刻データ記憶部５００には、受信時刻データ５１０と、内部時刻データ５２０と、時計表示用時刻データ５３０と、タイムゾーンデータ５４０とが記憶される。
【００３８】
受信時刻データ５１０には、衛星信号から取得した衛星時刻情報（ＧＰＳ時刻）が記憶される。この受信時刻データは、通常は、時刻情報生成部４１によって生成される基準信号で更新され、衛星信号を受信した際には、取得した衛星時刻情報（ＧＰＳ時刻）によって修正される。
【００３９】
内部時刻データ５２０には、内部時刻情報が記憶される。この内部時刻情報は、受信時刻データ５１０に記憶されたＧＰＳ時刻によって更新される。すなわち、内部時刻データ５２０には、ＵＴＣ（協定世界時）が記憶されることになる。受信時刻データ５１０が時刻情報生成部４１によって生成される基準信号で更新される際に、この内部時刻情報も更新される。
【００４０】
時計表示用時刻データ５３０には、前記内部時刻データ５２０の内部時刻情報に、タイムゾーンデータ５４０のタイムゾーンデータを加味した時刻データが記憶される。タイムゾーンデータ５４０は、設定されたタイムゾーンデータが記憶される。
【００４１】
都市名−タイムゾーンデータ記憶部５５０は、各都市のタイムゾーンデータが記憶されており、都市名とタイムゾーンデータとが関連付けされて記憶されている。すなわち、ユーザーが現地時刻を知りたい都市名を選択すると制御回路４０は、都市名−タイムゾーンデータ記憶部５５０に対してユーザーが設定した都市名を検索し、その都市名に対応するタイムゾーンデータを取得できるようにされている。例えば、日本標準時は、ＵＴＣに対して９時間進めた時刻（ＵＴＣ＋９）であるため、東京が選択された場合、タイムゾーンデータ５４０には、＋９時間が記憶される。
【００４２】
内部時刻修正記録記憶部５６０には、受信時刻データ５１０の衛星時刻情報、この受信時刻データ５１０に連動して更新される内部時刻データ５２０の内部時刻情報と、測位モードでの受信が成功したか否かを示す第１受信結果記録と、測時モードでの受信が成功したか否かを示す第２受信結果記録とが記憶される。
【００４３】
［制御回路の構成］
次に、制御回路４０の各構成を説明する。
時刻情報生成部４１は、図示しない水晶振動子、発振回路で生成される基準信号をカウントして受信時刻データ５１０および内部時刻データ５２０を更新するものである。
受信制御部４２は、ＧＰＳ受信回路３０を制御してＧＰＳ信号の受信処理を行う。
【００４４】
自動受信設定部４３は、自動受信有効モード（測時モードまたは測位モード）および自動受信無効モードのうちのいずれかに設定する。そして、外部操作部７０の入力操作に応じた信号に基づいて、この自動受信モードを切り替える切替処理を行う。
なお、自動受信モードとは、制御回路４０の制御信号により、ＧＰＳ信号を定期的に、受信モード設定部４４で設定された受信モードで自動受信して時刻修正を行うモードのことをいう。
【００４５】
受信モード設定部４４は、受信モードを測時モードおよび測位モードのうちのいずれかに設定できる。そして、所定条件に該当した場合には、この受信モードを切り替える切替処理を行う。
【００４６】
時刻情報修正部４５は、受信したＧＰＳ信号の位置情報および時刻情報に基づいて前記受信時刻データ５１０および内部時刻データ５２０を修正するものであり、測位情報修正手段４５１と、測時情報修正手段４５２とを備える。
【００４７】
測位情報修正手段４５１は、受信制御部４２を介してＧＰＳ受信回路３０を側位モードで制御して受信した位置情報および時刻情報に基づいて受信時刻データ５１０を修正する。すなわち、この位置情報で、都市名−タイムゾーンデータ記憶部５５０を参照して、タイムゾーンデータ５４０を修正する。また、この時刻情報で受信時刻データ５１０を修正する。同時に、受信時刻データ５１０を用いて内部時刻データ５２０も修正される。
測時情報修正手段４５２は、受信制御部４２を介してＧＰＳ受信回路３０を側時モードで制御して受信したＧＰＳ信号に含まれる時刻情報に基づいて受信時刻データ５１０を修正する。すなわち、この位置情報で受信時刻データ５１０を修正する。同時に、受信時刻データ５１０を用いて内部時刻データ５２０も修正される。
【００４８】
発電量検出制御部４６は、発電量検出回路８０を作動させてソーラーセル２２の発電量（発電電圧）を検出し、発電量検出回路８０から検出値を取得する処理を行う。
【００４９】
［制御回路の動作］
次に、ＧＰＳ付き腕時計１００における制御回路４０の動作について、図５のフローチャートを参照して説明する。
【００５０】
ＧＰＳ付き腕時計１００は、例えば以下の（i）〜（iv）のような場合に、図５に示す
時刻修正処理の実行を開始する。
（i）外部操作部７０の入力操作により、自動受信有効モード（測時モードまたは測位モード）および自動受信無効モードのうちのいずれかに設定できる。そして、外部操作部７０の入力操作に応じた信号に基づいて、自動受信モードを自動受信無効モードから自動受信有効モードを切り替える切替処理が行われた場合。
（ii）所定の受信時刻（受信タイミング）になった場合。
（iii）上記（i）の場合に、時刻修正処理が実行された後において、その後、所定時間間隔（例えば１時間）が経過した場合。
（iv）上記（iii）の場合に、時刻修正処理が実行された後において、その後、所定時間間隔（例えば１時間）が経過し、かつ前回の自動受信処理が測位モードであった場合。
【００５１】
なお、前記自動修正モード時の受信タイミングは、例えば、次のような時刻を基準として設定される。ＧＰＳ付き腕時計１００の時刻精度が、例えば、最大で０．５秒／日程度であるとすると、時刻修正のためにＧＰＳ衛星から衛星信号を受信する回数は、１日に１回でよい。従って、ＧＰＳ付き腕時計１００は、１日のなかで、ＧＰＳ衛星で送信された衛星信号を受信しやすい環境である時に受信を行うことが好ましい。そのため、受信タイミングデータは、受信しやすい環境の時刻を基準として設定されている。
例えば、受信タイミングとしては、午前７時や午前８時が設定される。
午前７時や午前８時に設定するのは、ＧＰＳ付き腕時計１００をユーザーが使用しており、ＧＰＳ付き腕時計１００の使用環境が屋外である可能性が高い通勤時間帯であるためである。すなわち、勤務時間中はビルや工場内などの衛星信号が届きにくい場所にいる場合でも、通勤時間中は屋外にいる可能性が高く、その分、衛星信号を受信できる可能性が高まり、電波受信環境が良好となるためである。
【００５２】
時刻修正処理が実行されると、制御回路４０は、まず、自動受信設定部４３を参照し、自動受信モードが自動受信有効モードか否かを判定する（Ｓ１）。
所定の受信時刻（受信タイミング）になった際に、時刻修正処理が実行される場合には、自動受信モードが自動受信無効モードとなっている場合がある。このように、自動受信モードが自動受信有効モードでない（Ｓ１：Ｎｏ）と判定された場合には、時刻修正処理を終了する。
【００５３】
一方、制御回路４０は、Ｓ１で自動受信モードが自動受信有効モードである（Ｓ１：Ｙｅｓ）と判定された場合、発電量検出制御部４６は、発電量検出回路８０を作動させてソーラーセル２２の発電量（発電電圧）を検出し、発電量検出回路８０から検出値を取得する（Ｓ２）。そして、Ｓ２で得られた発電量が、予め設定された閾値以上か否かを判定する（Ｓ３）。
ここで、Ｓ２で得られた発電量が閾値未満（Ｓ３：Ｎｏ）と判定された場合には、時刻修正処理を終了する。
【００５４】
なお、この閾値は、電子時計が屋外に配置されているか否かを判定できるよう適宜設定すればよい。例えば、蛍光灯下においてソーラーセル２２に照射された場合の光の照度は通常５００〜１０００ルクスであるのに対し、直射日光がソーラーセル２２に照射された場合の光の照度は通常１００００ルクスを超える。そこで、ソーラーセル２２に１００００ルクスの光を当てた場合に対応する発電量を、閾値として規定している。
【００５５】
一方、Ｓ２で得られた発電量が閾値以上（Ｓ３：Ｙｅｓ）と判定された場合、制御回路４０は、記憶部５０の内部時刻修正記録記憶部５６０を参照し、自動受信モードが自動受信有効モードとなった後、受信モードが測位モードに設定された状態で自動受信が実行された回数が、予め設定された規定値（例えば４）未満か否かを判定する（Ｓ４）。ここで、この規定値は特に限定されず、適宜設定することができる。なお、規定値が例えば４である場合には、受信モードが前記測位モードに設定された状態で自動受信が実行される回数は３回となる。
【００５６】
Ｓ４で「Ｙｅｓ」と判定された場合、制御回路４０の受信モード設定部４４は、受信モードを測位モードに設定する（Ｓ５）。
次に、受信制御部４２は、受信モード設定部４４で設定された受信モードである測位モードにて、ＧＰＳ受信回路３０を制御してＧＰＳ信号の受信処理を開始する（Ｓ６）。
そして、受信制御部４２は、設定時間内に位置情報および時刻情報を受信できたか否かを判定する（Ｓ７）。設定時間は、例えば、３０秒〜１分など、位置情報を受信するのに十分な時間を設定すればよい。
【００５７】
ＧＰＳ受信回路３０にて位置情報および時刻情報の受信に成功した場合（Ｓ７：Ｙｅｓ）には、測位情報修正手段４５１は、都市名−タイムゾーンデータ記憶部５５０を参照して、ＧＰＳ受信回路３０にて受信した位置情報に基づいて、ＵＴＣに対する時差を特定し、タイムゾーンデータ５４０を修正する（Ｓ８）。さらに、測位情報修正手段４５１は、ＧＰＳ受信回路３０にて受信した時刻情報に基づいて、受信時刻データ５１０を修正し、この受信時刻データ５１０を用いて内部時刻データ５２０を修正する（Ｓ９）。そして、内部時刻データ５２０およびタイムゾーンデータ５４０に基づいて、時計表示用時刻データ５３０を修正する。時計部６０は、時計表示用時刻データ５３０の時刻を指示するように、指針１２を駆動する。その後、時刻修正処理を終了する。
【００５８】
一方、ＧＰＳ受信回路３０にて位置情報の受信に失敗した場合（Ｓ７：Ｎｏ）には、時刻修正処理を終了する。
なお、制御回路４０は、測位モードでの受信結果を内部時刻修正記録記憶部５６０に記憶する。すなわち、Ｓ７で「Ｙｅｓ」と判定された場合には、測位モードでの受信に成功したと記憶し、Ｓ７で「Ｎｏ」と判定された場合には、測位モードでの受信に失敗したことを記憶する。
【００５９】
また、Ｓ４で「Ｎｏ」と判定された場合、制御回路４０の受信モード設定部４４は、受信モードを測時モードに設定する（Ｓ１０）。
次に、受信制御部４２は、受信モード設定部４４で設定された受信モードである測時モードにて、ＧＰＳ受信回路３０を制御してＧＰＳ信号の受信処理を開始する（Ｓ１１）。
そして、受信制御部４２は、設定時間内に時刻情報を受信できたか否かを判定する（Ｓ１２）。設定時間は、例えば、３０秒〜１分など、時刻情報を受信するのに十分な時間を設定すればよい。
【００６０】
ＧＰＳ受信回路３０にて時刻情報の受信に成功した場合（Ｓ１２：Ｙｅｓ）には、測時情報修正手段４５２は、ＧＰＳ受信回路３０にて受信した時刻情報に基づいて、受信時刻データ５１０を修正し、この受信時刻データ５１０を用いて内部時刻データ５２０を修正する（Ｓ９）。そして、内部時刻データ５２０およびタイムゾーンデータ５４０に基づいて、時計表示用時刻データ５３０を修正する。時計部６０は、時計表示用時刻データ５３０の時刻を指示するように、指針１２を駆動する。その後、時刻修正処理を終了する。
【００６１】
〔電子時計の作用効果〕
このような本実施形態によれば、次の効果が得られる。
本実施形態においては、ボタン１６などの外部操作部７０によって自動受信が無効にされて、再度有効にされた後に自動受信する場合には、ＧＰＳ受信回路３０は測位モードにて自動受信をする。このように外部操作部７０によって自動受信を無効にする必要がある場合としては、例えば航空機に搭乗する場合が想定できる。そして、航空機に搭乗する場合には、時差のあるような場所へ長距離の移動をする可能性が高い。そこで、外部操作部７０によって自動受信が無効にされて、再度有効にされた場合に、ＧＰＳ受信回路３０が測位モードにて自動受信をすることで、測位モードでの受信の必要性が高い場合に、測位モードにて自動受信をすることができる。そして、受信制御部４２で受信された情報に基づいて内部時刻データ５２０を修正することにより、ＧＰＳ付き腕時計１００にローカル時間を自動的に表示することができる。
また、測位モードでは、位置を検出するために３個以上のＧＰＳ衛星から衛星信号を受信しなければならず、測時モードの場合と比較して、受信処理時間も長くなり、消費電力も大きくなる。そこで、本実施形態では、外部操作部７０によって自動受信が無効にされて、再度有効にされた後に自動受信する場合にＧＰＳ受信回路３０が測位モードにて自動受信をするようにし、その後、受信モードが測位モードに設定された状態で自動受信が実行された回数が４回となった場合には、ＧＰＳ受信回路３０が測時モードにて自動受信をするようにしている。このように、測位モードでの受信の必要性が高い場合にＧＰＳ受信回路３０が測位モードにて自動受信をするため、消費電力を低減できる。また、圧力センサーなどの新たな部品などを設ける必要がなく、その部品により、時計が大型化したり、消費電力が増大することを防止できる。
【００６２】
このようにＧＰＳ受信回路３０が測位モードでの自動受信を３回実行した場合に、測時モードにて自動受信をするようにすれば、ＧＰＳ受信回路３０が無駄に測位モードにて自動受信することを抑制することができ、消費電力を低減できる。
【００６３】
本実施形態では、ソーラーセル２２の発電量が予め設定された閾値以上であることをＧＰＳ受信回路３０が作動する条件としている。このように、ソーラーセル２２の発電量が閾値以上であることをＧＰＳ受信回路３０が作動する条件とすることで、ＧＰＳ付き腕時計１００が屋外に配置されている場合など衛星信号を受信しやすい環境でＧＰＳ受信回路３０を作動させることができる。
【００６４】
［第二実施形態］
次に、本発明の第二実施形態を図面に基づいて説明する。
なお、本実施形態のＧＰＳ付き腕時計１００の構造は、前記第一実施形態と同様であるから、その詳細な説明は省略する。
【００６５】
図６は、第二実施形態の時刻修正処理を示すフローチャートである。
本実施形態では、前記第一実施形態に対して、Ｓ２で得られた発電量が閾値以上（Ｓ３：Ｙｅｓ）と判定された場合に、前記第一実施形態におけるＳ４の前に、受信モードが測位モードに設定された状態で自動受信に成功しているか否かを判定する点が異なるのみである。第二実施形態におけるＳ１〜Ｓ１２の処理については、前記第一実施形態と同様であるから、その詳細な説明は省略する。
【００６６】
本実施形態では、Ｓ２で得られた発電量が閾値以上（Ｓ３：Ｙｅｓ）と判定された場合に、自動受信モードが自動受信有効モードとなった後、受信モードが測位モードに設定された状態で自動受信に成功しているか否かを判定する（Ｓ２１）。
そして、Ｓ２１で「Ｎｏ」と判定された場合、記憶部５０の内部時刻修正記録記憶部５６０を参照し、自動受信モードが自動受信有効モードとなった後、受信モードが測位モードに設定された状態で自動受信が実行された回数が、予め設定された規定値（例えば４）未満か否かを判定し（Ｓ４）、以降は第一実施形態と同様の処理をする。
一方で、Ｓ２１で「Ｙｅｓ」と判定された場合、制御回路４０の受信モード設定部４４は、受信モードを測時モードに設定し（Ｓ１０）、以降は第一実施形態と同様の処理をする。
【００６７】
このような第二実施形態によれば、前記第一実施形態で得られる作用効果の他に、以下の作用効果が得られる。
本実施形態のように、ＧＰＳ受信回路３０が測位モードでの自動受信に成功した場合に、測時モードにて自動受信をするようにすれば、ローカル時間に確実に自動修正できる。
また、本実施形態においては、受信モードが測位モードに設定された状態で自動受信に成功した場合には、次回からは、受信モードが測時モードに設定された状態で自動受信が実行されることになる。したがって、前記第一実施形態と比較して、受信モードが測位モードに設定された状態での自動受信の平均回数を少なくでき、消費電力を更に低減できる。
【００６８】
［他の実施形態］
なお、本発明は前記各実施形態の構成に限定されず、本発明の要旨の範囲内で種々の変形実施が可能である。
例えば、前記実施形態においては、自動受信条件として、ソーラーセル２２の発電量が、予め設定された閾値以上であることを設定しているが、これに限定されない。例えば、この自動受信条件を、時刻修正処理の実行を開始する条件と同一の条件としてもよい。このような場合、時刻修正処理の実行が開始されれば、当然に自動受信条件も満たすことになるため、実質的には、自動受信条件の判定がされずに、受信モード設定部４４で設定された受信モードでＧＰＳ受信回路３０が自動受信処理を実行することとなる。
【００６９】
また、前記実施形態において、リューズ１４やボタン１５，１６を手動操作することで、強制的に測位モードにてＧＰＳ受信回路３０に受信させ、時刻修正動作を行う強制修正モード（強制受信モード）を実行可能としてもよい。
さらに、前記実施形態において、二次電池２４の電圧を検出する電圧検出手段を設け、二次電池２４の電圧が設定電圧以下に低下した場合には、時刻修正処理を禁止するモードに移行するようにしてもよい。
【００７０】
また、前記実施形態においては、Ｓ２で得られた発電量が閾値未満（Ｓ３：Ｎｏ）と判定された場合には、時刻修正処理を終了するが、これに限定されない。例えば、Ｓ２で得られた発電量が閾値未満（Ｓ３：Ｎｏ）と判定された場合には、再び、発電量検出制御部４６が、Ｓ２で得られた発電量が閾値以上（Ｓ３：Ｙｅｓ）と判定されるまで、Ｓ２およびＳ３を繰り返すようにしてもよい。このようにすれば、ＧＰＳ付き腕時計１００が屋内から屋外に移動した場合など衛星信号を受信しやすい環境に移行した際にＧＰＳ受信回路３０を作動させることができる。
【００７１】
また、前記実施形態では、位置情報衛星の例としてＧＰＳ衛星について説明したが、本発明の位置情報衛星としては、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）やＳＢＡＳなどの静止衛星や準天頂衛星などの時刻情報を含む衛星信号を発信する位置情報衛星でも良い。
【００７２】
本発明の電子時計は、腕時計に限定されず、例えば、携帯電話、登山などに用いられる携帯型のＧＰＳ受信機など、二次電池で駆動されて位置情報衛星から送信される衛星信号を受信する装置に広く利用できる。
【符号の説明】
【００７３】
１５，１６…ボタン、２２…ソーラーセル、３０…ＧＰＳ受信回路、４０…制御回路、４２…受信制御部、４３…自動受信設定部、４４…受信モード設定部、４５…時刻情報修正部、７０…外部操作部、８０…発電量検出回路、１００…ＧＰＳ付き腕時計。
【図１】
0005962821.tif 000002
【図２】
0005962821.tif 000003
【図３】
0005962821.tif 000004
【図４】
0005962821.tif 000005
【図５】
0005962821.tif 000006
【図６】
0005962821.tif 000007